(57)【要約】      （修正有）【課題】高圧空気流発生装置における羽根が使用限界に達する前に、管理者等が、そのことを把握することができる手乾燥装置を提供する。【解決手段】手乾燥装置１は、箱体２と、箱体２の内部に設けられ、手が挿入される開口部を備える手乾燥室３と、箱体２の内部に設けられ、高圧空気を生成する高圧空気流発生装置４と、高圧空気流発生装置４で生成された高圧空気を手乾燥室３内に噴出するノズルと、高圧空気流発生装置４を制御する制御部と、を有し、制御部は、高圧空気流発生装置４の運転回数を記憶する記憶部と、記憶部が記憶した高圧空気流発生装置４の運転回数が、予め決められた高圧空気流発生装置４の運転回数閾値に到達したか否かを判定する判定部と、を有する。【選択図】図１
2014200514.tif 000002
【特許請求の範囲】
【請求項１】
箱体と、
前記箱体の内部に設けられ、手が挿入される開口部を備える手乾燥室と、
前記箱体の内部に設けられ、高圧空気を生成する高圧空気流発生装置と、
前記高圧空気流発生装置で生成された高圧空気を前記手乾燥室内に噴出するノズルと、
前記高圧空気流発生装置を制御する制御部と、を有し、
前記制御部は、
前記高圧空気流発生装置の運転回数を記憶する記憶部と、
前記記憶部が記憶した前記高圧空気流発生装置の運転回数が、予め決められた前記高圧空気流発生装置の運転回数閾値に到達したか否かを判定する判定部と、を有する
ことを特徴とする手乾燥装置。
【請求項２】
前記制御部は、
前記判定部が、前記高圧空気流発生装置の運転回数が前記運転回数閾値に到達したと判定したときに、前記高圧空気流発生装置の運転を停止する
ことを特徴とする請求項１記載の手乾燥装置。
【請求項３】
前記制御部は、
前記判定部が、前記高圧空気流発生装置の運転回数が前記運転回数閾値に到達したと判定したときに、前記高圧空気流発生装置の運転回数が前記運転回数閾値に到達したことを外部に知らせる報知部を有する
ことを特徴とする請求項１記載の手乾燥装置。
【請求項４】
前記制御部は、
前記報知部が、前記高圧空気流発生装置の運転回数が前記運転回数閾値に到達したことを外部に知らせた後に、前記高圧空気流発生装置の運転を停止する
ことを特徴とする請求項３記載の手乾燥装置。
【請求項５】
前記報知部は、前記高圧空気流発生装置の運転回数が前記運転回数閾値に到達するまでの残り回数を報知する
ことを特徴とする請求項３又は請求項４記載の手乾燥装置。
【発明の詳細な説明】
【技術分野】
【０００１】
本発明は、洗浄後の濡れた手を乾燥する手乾燥装置に関する。
【背景技術】
【０００２】
手乾燥装置は、手を洗った後に、濡れた手を乾燥するものであり、乾燥後に、手を拭いた後のペーパータオルのようなゴミは発生しない。このため、ペーパータオルの代わりとして、公共のトイレ等に設置されることが多くなってきている。
【０００３】
特許文献１には、「上方及び側方から手を挿抜可能に形成された乾燥処理空間を備え、外郭をなす箱体と、高圧空気を発生させる高圧空気流発生装置と、前記高圧空気流発生装置から供給された前記高圧空気を高速空気流に変換して、前記乾燥処理空間の内部に挿入された手に対して前記高速空気流を下方へ向かって噴射するノズルと」を有する手乾燥装置が開示されている。
【先行技術文献】
【特許文献】
【０００４】
【特許文献１】特開２０１２−６１２４７号公報（請求項１）
【発明の概要】
【発明が解決しようとする課題】
【０００５】
この特許文献１に記載されたような従来の手乾燥装置は、手に付着した水滴を、高圧空気流によって吹き飛ばして、手を乾燥するものである。この高圧空気流は、高圧空気流発生装置に設けられた羽根を、高圧空気流発生装置に設けられたモーター（ＤＣブラシレスモーター又は整流子モーター等）で高速回転することにより、生成されている。
【０００６】
そして、手乾燥装置は、前述の如く、公共のトイレ等に設置されることが多く、多数の使用者によって使用されるものである。手乾燥装置が多数使用されることによって、高圧空気流発生装置における羽根及びモーターは、回転及び停止の繰り返し動作と、高速回転自体とによって、大きな負荷がかかる。従って、高圧空気流発生装置における羽根は、手乾燥装置の継続的な使用により消耗（疲労）していき、いずれは使用限界に達する。このように、羽根が使用限界に達した場合、高圧空気流発生装置を交換する必要がある。
【０００７】
しかしながら、特許文献１に記載されたような従来の手乾燥装置は、手乾燥装置に搭載されている高圧空気流発生装置における羽根が、その使用限界に達しても、手乾燥装置が異常を検知して停止した後でなければ、羽根が使用限界に達したことを確認することができなかった。このため、手乾燥装置の管理者が、手乾燥装置の停止を認識してから、高圧空気流発生装置の交換の準備を行い、その交換を終えて、高圧空気流発生装置が再稼働するまでの間、使用者は、手乾燥装置を使用することができず、極めて不便であった。
【０００８】
また、手乾燥装置の管理者は、高圧空気流発生装置が使用限界に達するまでに、どの程度の期間が残っているかを把握することができなかった。このため、管理者が、高圧空気流発生装置の交換時期を設定することが困難であり、煩わしさがあった。
【０００９】
本発明は、上記のような課題を背景としてなされたもので、高圧空気流発生装置における羽根が使用限界に達する前に、管理者等が、そのことを把握することができる手乾燥装置を提供するものである。
【課題を解決するための手段】
【００１０】
本発明に係る手乾燥装置は、箱体と、前記箱体の内部に設けられ、手が挿入される開口部を備える手乾燥室と、前記箱体の内部に設けられ、高圧空気を生成する高圧空気流発生装置と、前記高圧空気流発生装置で生成された高圧空気を前記手乾燥室内に噴出するノズルと、前記高圧空気流発生装置を制御する制御部と、を有し、前記制御部は、前記高圧空気流発生装置の運転回数を記憶する記憶部と、前記記憶部が記憶した前記高圧空気流発生装置の運転回数が、予め決められた前記高圧空気流発生装置の運転回数閾値に到達したか否かを判定する判定部と、を有することを特徴とする。
【発明の効果】
【００１１】
本発明によれば、高圧空気流発生装置の運転回数閾値を、高圧空気流発生装置を交換する必要がある運転回数よりも若干低く設定しておくことで、判定部が運転回数閾値に到達したと判定することにより、外部の管理者等は、高圧空気流発生装置を交換する時期が迫っていることを把握することができる。このため、高圧空気流発生装置が停止する前に、高圧空気流発生装置の交換の準備を行うことができるので、高圧空気流発生装置を迅速に交換することができる。従って、高圧空気流発生装置を交換している間の使用者の不便さを軽減することができる。
【図面の簡単な説明】
【００１２】
【図１】実施の形態１に係る手乾燥装置１を示す側面断面図である。
【図２】正面カバー１６を外した実施の形態１に係る手乾燥装置１を示す正面図である。
【図３】実施の形態１における高圧空気流発生装置４を示す側面断面図である。
【図４】実施の形態１における制御部２１を示すブロック図である。
【図５】実施の形態１の変形例における制御部２１を示すブロック図である。
【図６】正面カバー１６を外した実施の形態２に係る手乾燥装置１を示す正面図である。
【図７】実施の形態２における制御部２１を示すブロック図である。
【図８】実施の形態２における運転回数閾値に到達するまでの残り回数を示す図である。
【発明を実施するための形態】
【００１３】
以下、本発明に係る手乾燥装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１４】
実施の形態１．
図１は、実施の形態１に係る手乾燥装置１を示す側面断面図、図２は、正面カバー１６を外した実施の形態１に係る手乾燥装置１を示す正面図である。これらの図１，図２に基づいて、手乾燥装置１について説明する。図１，図２に示すように、手乾燥装置１は、手乾燥装置１の外郭をなす箱体２の上部に、開口部が設けられている。この開口部は、箱体２の最上部に位置する上部開口部７ａと、箱体２の上部且つ両側部に位置する側部開口部７ｂとからなっており、これらの上部開口部７ａと側部開口部７ｂとは夫々連通しており、連続した開口部となっている。そして、箱体２の上部には、この上部開口部７ａと側部開口部７ｂとから、手乾燥装置１の使用者が手を挿入した後、この挿入した手の全体を覆う空間である手乾燥室３が設けられている。この手乾燥室３は、使用者の手を、自由に挿入したり抜去したりすることができるものである。また、この手乾燥室３は、側面視において、断面Ｕ字状をなしており、手乾燥室３における上部から下部に向かうに従って、正面側から背面側に向けて若干傾斜している。
【００１５】
手乾燥室３は、上記のとおり、断面Ｕ字状をなしており、正面側の内壁である正面側壁面３ａと、背面側の内壁である背面側壁面３ｂとが互いに対向している。これらの正面側壁面３ａ及び背面側壁面３ｂの表面には、シリコン系若しくはフッ素系等の撥水性コーティング又は酸化チタン等の親水性コーティングが施されている。また、これらの正面側壁面３ａ及び背面側壁面３ｂは、抗菌剤が含浸された樹脂からなっている。このため、手乾燥室３の正面側壁面３ａ及び背面側壁面３ｂに汚れが付着することを抑制すると共に、菌の繁殖を低減することができる。
【００１６】
手乾燥室３において、正面側壁面３ａにおける上部開口部７ａの近傍には、正面側ノズル５ａが設けられており、また、背面側壁面３ｂにおける上部開口部７ａの近傍には、背面側ノズル５ｂが設けられている。これらの正面側ノズル５ａ及び背面側ノズル５ｂは、手乾燥室３の幅方向に、直線状に複数設置されている。これらの正面側ノズル５ａ及び背面側ノズル５ｂは、その先端が、水平方向よりも若干下向きに傾斜しており、正面側ノズル５ａ及び背面側ノズル５ｂから噴出する高速空気が、手乾燥室３における下部（奥側）に向かうようになっている。これにより、例えば、正面側ノズル５ａから噴出する高速空気が、手乾燥室３に挿入された掌に当たり、掌側に付着した水滴を吹き飛ばして排除すると同時に、背面側ノズル５ｂから噴出する高速空気が、手乾燥室３に挿入された手の甲に当たり、手の甲側に付着した水滴を吹き飛ばして排除する。なお、正面側ノズル５ａから噴出する高速空気が、手の甲側の水滴を吹き飛ばし、また、背面側ノズル５ｂから噴出する高速空気が、掌側の水滴を吹き飛ばすこともできる。
【００１７】
手乾燥室３において、背面側壁面３ｂにおける背面側ノズル５ｂの下方には、手の有無を検知するための光を出射する上側手検知センサー（発光側）６ａが設置されている。そして、この上側手検知センサー（発光側）６ａから出射し、正面側壁面３ａ又は手乾燥室３に挿入された手に当たって反射した光を受光する手検知センサー（受光側）６ｃが、上側手検知センサー（発光側）６ａと一体的に設けられている。この上側手検知センサー（発光側）６ａから出射した光は、手乾燥室３に手が挿入されていない場合、正面側壁面３ａに至り、正面側壁面３ａで反射して、その反射光を手検知センサー（受光側）６ｃが受光する。これに対し、手乾燥室３に手が挿入されている場合、上側手検知センサー（発光側）６ａから出射した光は、手に当たり、手で反射して、その反射光を手検知センサー（受光側）６ｃが受光する。
【００１８】
即ち、手乾燥室３に手が挿入されている場合の方が、手乾燥室３に手が挿入されていない場合よりも、上側手検知センサー（発光側）６ａから出射した光が反射して、手検知センサー（受光側）６ｃが受光するまでの距離が短いため、反射光のエネルギが強い。この手検知センサー（受光側）６ｃが受光する反射光の受光レベルによって、手乾燥室３に手が挿入されているか否かを判定している。このように、上側手検知センサー（発光側）６ａと手検知センサー（受光側）６ｃとが、一対の反射式センサーを構成している。
【００１９】
また、手乾燥室３において、正面側壁面３ａの下部には、手の有無を検知するための光を出射する奥側手検知センサー（発光側）６ｂが設置されている。この奥側手検知センサー（発光側）６ｂから出射する光の出射方向は、上記の手検知センサー（受光側）６ｃに向けられており、この光を、手検知センサー（受光側）６ｃが受光する。この奥側手検知センサー（発光側）６ｂから出射した光は、手乾燥室３に手が挿入されていない場合、そのまま手検知センサー（受光側）６ｃに至り、手検知センサー（受光側）６ｃが受光する。これに対し、手乾燥室３に手が挿入されている場合、奥側手検知センサー（発光側）６ｂから出射した光は、手で遮られるため、手検知センサー（受光側）６ｃまで届きにくい。この手検知センサー（受光側）６ｃが、奥側手検知センサー（発光側）６ｂから出射した光を受光するか否かによって、手乾燥室３に手が挿入されているか否かを判定している。このように、奥側手検知センサー（発光側）６ｂと手検知センサー（受光側）６ｃとが、一対の透過式センサーを構成している。
【００２０】
なお、上側手検知センサー（発光側）６ａを、正面側壁面３ａの上部に設置して、この上側手検知センサー（発光側）６ａから出射した光を、手検知センサー（受光側）６ｃが受光するようにしてもよい。この場合、上側手検知センサー（発光側）６ａと手検知センサー（受光側）６ｃとで、一対の透過式センサーを構成する。この場合、手検知センサー（受光側）６ｃの背面側壁面３ｂにおける位置は、上側手検知センサー（発光側）６ａと奥側手検知センサー（発光側）６ｂとの上下方向の中心付近で、且つ上側手検知センサー（発光側）６ａからの距離と、奥側手検知センサー（発光側）６ｂからの距離とが、ほぼ等距離となる位置に設置することができる。
【００２１】
また、手乾燥室３の底部には、手乾燥室３内の水を排水する排水口（図示せず）が設けられており、排水口には、箱体２の上下方向に延びる排水路１５の上端部が取り付けられている。また、この排水路１５の下端部には、タンク１４が接続されている。このタンク１４は、排水路１５を通って排水された水を溜めるものであり、箱体２の底部に着脱自在に取り付けられている。
【００２２】
箱体２の内部において、手乾燥室３の下方には、高圧空気を生成する高圧空気流発生装置４が設置されている。この高圧空気流発生装置４は、図３に示すように、羽根４ａとＤＣブラシレスモーター４ｂとを備えている。なお、このＤＣブラシレスモーター４ｂは、整流子モーターとしてもよい。高圧空気流発生装置４は、羽根４ａを、ＤＣブラシレスモーター４ｂで回転させることにより、空気を高圧化するものである。そして、この高圧空気流発生装置４で高圧化した空気は、高圧空気流発生装置４の上方に設けられた排気チャンバー８に排出される。この排気チャンバー８の上部には、排気チャンバー８内の空気を排出する排気口９が設けられており、箱体２の内部において、排気口９の更に上方には、排気ダクトが設けられている。この排気ダクトは、手乾燥室３の正面側壁面３ａよりも手前側を通りつつ、排気口９から上方に延びる正面側排気ダクト１０ａと、手乾燥室３の背面側壁面３ｂよりも後方を通りつつ、排気口９から上方に延びる背面側排気ダクト１０ｂとに分かれている。
【００２３】
このうち、正面側排気ダクト１０ａは、上端部において、正面側ノズル５ａに接続されており、また、背面側排気ダクト１０ｂは、上端部において、背面側ノズル５ｂに接続されている。これにより、高圧空気流発生装置４から排出された高圧空気は、排気チャンバー８、排気口９及び正面側排気ダクト１０ａを通り、正面側ノズル５ａによって、高速空気に変換され、この高速空気が、正面側ノズル５ａから手乾燥室３内に噴出される。また、高圧空気流発生装置４から排出された高圧空気は、排気チャンバー８、排気口９及び背面側排気ダクト１０ｂを通り、背面側ノズル５ｂによって、高速空気に変換され、この高速空気が、背面側ノズル５ｂから手乾燥室３内に噴出される。
【００２４】
高圧空気流発生装置４の吸気側においては、箱体２の上下方向に延びる吸気ダクト１１の上端部の開口が、高圧空気流発生装置４に接続されている。この吸気ダクト１１の内壁には、高圧空気流発生装置４から発生する騒音を低減するため、吸音材が貼り付けられている。そして、吸気ダクト１１の下端部は、箱体２の底部まで延びており、箱体２の底部において開口した吸気口１２となっている。また、この吸気口１２の入り口には、エアフィルター１３が着脱自在に取り付けられている。なお、箱体２の正面には、正面カバー１６が取り付けられている。
【００２５】
次に、手乾燥装置１の使用方法について説明する。手乾燥装置１の使用者が、手乾燥装置１の正面側に立ち、使用者の腕を下方に伸ばした状態で、手乾燥装置１の両側部に設けられた側部開口部７ｂから、手乾燥室３の中へ、濡れた手を夫々挿入する。そして、手乾燥室３の中で、両手を近づけるように手乾燥室３の中央に向けて寄せていくと、両腕が、上部開口部７ａから挿入された状態になる。このとき、指先から手首の辺りまでが、手乾燥室３に挿入された状態となっており、手乾燥室３に設けられた上側手検知センサー（発光側）６ａと手検知センサー（受光側）６ｃとで構成される一対のセンサー、及び奥側手検知センサー（発光側）６ｂと手検知センサー（受光側）６ｃとで構成される一対のセンサーが、手が挿入されたことを検知する。これらのセンサーが、手が挿入されたことを検知すると、高圧空気流発生装置４が作動し、エアフィルター１３を通ることによって埃が除去された空気を吸気口１２から吸い込み、この空気が、吸気ダクト１１を通って高圧空気流発生装置４の吸込側に吸い込まれる。高圧空気流発生装置４は、この吸い込まれた空気から、高圧空気を生成する。
【００２６】
高圧空気流発生装置４によって高圧化された高圧空気は、高圧空気流発生装置４の排気側から、排気チャンバー８内に排気される。そして、この高圧空気は、排気口９から、正面側排気ダクト１０ａ及び背面側排気ダクト１０ｂを通り、夫々正面側ノズル５ａ及び背面側ノズル５ｂに供給される。これらの正面側ノズル５ａ及び背面側ノズル５ｂが、高圧空気を高速空気に変換し、この高速空気が、正面側ノズル５ａ及び背面側ノズル５ｂから、手乾燥室３内に噴出される。これらの正面側ノズル５ａ及び背面側ノズル５ｂは、上部開口部７ａの近傍において、手乾燥室３の幅方向に、直線状に複数設置されているため、上部開口部７ａの近傍で、エアーカーテン状に、高速空気が噴出される。このエアーカーテン状の高速空気が、手乾燥室３内に挿入されている手の甲及び掌の両面に当たり、手の表面に付着している水を、水滴として吹き飛ばす。
【００２７】
そして、挿入されている手を、上部開口部７ａから、手乾燥室３の外側に徐々に引き抜いていくに従って、エアーカーテン状の高速空気の当たる部分が、挿入されている手のうち、手首の近辺から、指先に向かって移動していく。このように、挿入されている手を、上部開口部７ａから徐々に引き抜いていく間に、エアーカーテン状の高速空気が、手首から指先まで、即ち手の全体に当たる。これにより、手全体に付着していた水滴が除去され、手を乾燥させることができる。
【００２８】
手乾燥室３から、手を引き抜くと、上側手検知センサー（発光側）６ａと手検知センサー（受光側）６ｃとで構成される一対のセンサーが、手が挿入されていないことを検知し、これにより、高圧空気流発生装置４が停止する。なお、濡れた手が、手乾燥室３に挿入され、この濡れた手から吹き飛ばされて剥離した水滴は、手乾燥室３の空間内に飛ばされ、正面側壁面３ａ及び背面側壁面３ｂに当たる。そして、正面側壁面３ａ及び背面側壁面３ｂに当たった水滴は、そこから手乾燥室３の底部に向かって流下し、手乾燥室３の底部に設けられた排水口から、排水路１５を通って、タンク１４に回収される。
【００２９】
次に、手乾燥装置１の制御部２１について説明する。図４は、実施の形態１における制御部２１を示すブロック図である。制御部２１は、箱体２に設けられた上側手検知センサー（発光側）６ａと手検知センサー（受光側）６ｃとで構成される一対のセンサー、及び奥側手検知センサー（発光側）６ｂと手検知センサー（受光側）６ｃとで構成される一対のセンサーが、使用者の手を検知すると、高圧空気流発生装置４を駆動する。また、制御部２１は、使用者が手乾燥装置１の使用を終えて、手乾燥室３から手を引き抜くと、上側手検知センサー（発光側）６ａと手検知センサー（受光側）６ｃとで構成される一対のセンサーが、手が挿入されていないことを検知し、これにより、高圧空気流発生装置４を停止する。
【００３０】
図４に示すように、制御部２１には、高圧空気流発生装置４の運転回数を記憶する記憶部２２が設けられており、初期状態からの累計運転回数を記録している。また、箱体２には、高圧空気流発生装置４の出力を調整するための出力調整手段が設けられており、手乾燥装置１の管理者は、この出力調整手段によって、高圧空気流発生装置４の出力を、所望の出力に調整することができる。なお、記憶部２２は、この高圧空気流発生装置４が、いずれの出力で運転したかを示す出力の情報も、記憶する。
【００３１】
また、制御部２１には、判定部２３が設けられており、この判定部２３は、記憶部２２が記憶した高圧空気流発生装置４の運転回数が、予め決められた高圧空気流発生装置４の運転回数閾値に到達したか否かを判定するものである。この運転回数閾値は、管理者が自由に変更することが可能である。
【００３２】
手乾燥装置１に設けられた高圧空気流発生装置４が備える羽根４ａは、例えばターボファンを採用しており、これによって空気を高圧化して高圧空気流に変換している。手乾燥装置１は、公共のトイレに設置されることが多く、設置場所によっては、１日に１０００回以上も使用されることがある。このため、高圧空気流発生装置４における羽根４ａ及びＤＣブラシレスモーター４ｂは、回転及び停止の繰り返し動作と、高速回転自体とによって、大きな負荷が加わる。従って、高圧空気流発生装置４における羽根４ａは、運転と停止との繰り返しが継続されることによって、使用限界に達する場合がある。
【００３３】
この使用限界を表す指標としては、材料の疲労強度と同様に、一般的にＳ−Ｎ曲線が用いられている。Ｓは、応力振幅を示し、Ｎは、繰り返し回数を示すものである。この応力振幅は、回転数の２乗で変化し、材料（羽根４ａ）の繰り返し回数に影響を及ぼすパラメータである。即ち、手乾燥装置１において、羽根４ａの使用限界を見極めるためには、高圧空気流発生装置４の累積運転回数と、ＤＣブラシレスモーター４ｂの回転数とを把握すればよい。
【００３４】
次に、本実施の形態１に係る手乾燥装置１の作用について説明する。手乾燥装置１の制御部２１において、羽根４ａが使用限界となる高圧空気流発生装置４の累積運転回数以下となる累積運転回数を、運転回数閾値として、設定する。判定部２３によって、記憶部２２が記憶した高圧空気流発生装置４の運転回数が、この運転回数閾値に到達したと判定されると、制御部２１は、ＤＣブラシレスモーター４ｂに対し、停止指示を出す。これにより、ＤＣブラシレスモーター４ｂは、自動的にその駆動を停止し、羽根４ａの回転も停止する。このように、手乾燥装置１は、羽根４ａが使用限界に達する前に、高圧空気流発生装置４が停止するため、羽根４ａの使用限界を超えた後において、引き続き手乾燥装置１を使用し続けてしまうことを抑制することができる。
【００３５】
なお、前述の如く、ＤＣブラシレスモーター４ｂの回転数が高いほど、羽根４ａにかかる応力振幅が大きくなるので、高圧空気流発生装置４の最大出力時において、羽根４ａの使用限界となる累積運転回数が最も少なくなる。このため、高圧空気流発生装置４の最大出力時における運転回数を超えないように、運転回数閾値は、手乾燥装置１に搭載されている高圧空気流発生装置４の最大出力時におけるＤＣブラシレスモーター４ｂの回転数に基づいて、設定されている。高圧空気流発生装置４を、最大出力ではなく、それよりも低い出力で使用する場合は、最大出力時における累積運転回数（初期設定の累積運転回数）よりも、羽根４ａの使用限界に達するまでの累積運転回数が増加する。このため、記憶部２２が記憶した高圧空気流発生装置４における出力情報に基づいて、運転回数閾値を補正する。この場合、補正して再度設定し直された運転回数閾値は、初期の運転回数閾値（高圧空気流発生装置４の最大出力時における累積運転回数以下となる累積運転回数）よりも、運転回数が増加する。
【００３６】
なお、本実施の形態１の変形例として、図５に示すように、手乾燥装置１には、箱体２の内部の温度を検知する温度検知部２４及び箱体２の内部の気圧を検知する気圧検知部２５を設けることもできる。材料（羽根４ａ）の疲労強度は、温度及び気圧の変化による回転数の変化からも影響を受ける。従って、この温度検知部２４が検知した温度及び気圧検知部２５が検知した気圧に基づいて、運転回数閾値を補正することによって、運転回数閾値の精度を更に高めることができる。
【００３７】
実施の形態２．
次に、実施の形態２に係る手乾燥装置１について説明する。図６は、正面カバー１６を外した実施の形態２に係る手乾燥装置１を示す正面図、図７は、実施の形態２における制御部２１を示すブロック図である。本実施の形態は、図７に示すように、制御部２１に、報知部２６が接続されている点で、実施の形態１と相違する。本実施の形態２では、実施の形態１と共通する部分は説明を省略し、実施の形態１との相違点を中心に説明する。
【００３８】
本実施の形態では、図６に示すように、タンク１４の上方に、報知部２６が設けられている。この報知部２６は、判定部２３が、高圧空気流発生装置４の運転回数が、運転回数閾値に到達したと判定したときに、そのことを、制御部２１からの指令により、ランプの点灯若しくは点滅又は音声によって、外部の管理者に知らせるものである。このとき、高圧空気流発生装置４に対し、制御部２１から停止の指令は出さない。本実施の形態では、報知部２６を設けたことにより、管理者は、高圧空気流発生装置４を交換すべき時期が近いことを、事前に把握することができる。このため、管理者は、高圧空気流発生装置４が停止する前に、高圧空気流発生装置４の交換をスムーズに行うことができる。従って、高圧空気流発生装置４が停止して、使用者が手乾燥装置１を使用できなくなることを抑制することができる。
【００３９】
また、報知部２６は、図８に示すように、運転回数閾値に到達するまでの残り回数を表示することができるインジケーターのようなものとしてもよい。これにより、管理者は、運転回数閾値に到達するよりも前に、高圧空気流発生装置４のおおよその交換時期を確認することができる。このため、高圧空気流発生装置４の交換をよりスムーズに行うことができる。なお、報知部２６は、運転回数閾値に到達するまでの残り回数を、スピーカーによって音声出力するようにしてもよい。
【００４０】
なお、本実施の形態においては、報知部２６が、高圧空気流発生装置４の交換時期を知らせ、且つ高圧空気流発生装置４を停止しないこととしたが、報知部２６が、交換時期を知らせた後に、高圧空気流発生装置４を停止するように、制御部２１が指令を出してもよい。管理者が、報知部２６が交換時期を知らせていることを確認できず、手乾燥装置１が使用され続けると、羽根４ａが使用限界に達して、手乾燥装置１が異常を検知して停止する。報知部２６が交換時期を知らせた後に、高圧空気流発生装置４を停止することにより、この異常検知による停止を、抑制することができる。
【符号の説明】
【００４１】
１  手乾燥装置、２  箱体、３  手乾燥室、３ａ  正面側壁面、３ｂ  背面側壁面、４  高圧空気流発生装置、４ａ  羽根、４ｂ  ＤＣブラシレスモーター、５ａ  正面側ノズル、５ｂ  背面側ノズル、６ａ  上側手検知センサー（発光側）、６ｂ  奥側手検知センサー（発光側）、６ｃ  手検知センサー（受光側）、７ａ  上部開口部、７ｂ  側部開口部、８  排気チャンバー、９  排気口、１０ａ  正面側排気ダクト、１０ｂ  背面側排気ダクト、１１  吸気ダクト、１２  吸気口、１３  エアフィルター、１４  タンク、１５  排水路、１６  正面カバー、２１  制御部、２２  記憶部、２３  判定部、２４  温度検知部、２５  気圧検知部、２６  報知部。
【図１】
2014200514.tif 000003
【図２】
2014200514.tif 000004
【図３】
2014200514.tif 000005
【図４】
2014200514.tif 000006
【図５】
2014200514.tif 000007
【図６】
2014200514.tif 000008
【図７】
2014200514.tif 000009
【図８】
2014200514.tif 000010